(57)【特許請求の範囲】
【請求項１】
レンズを保持し、周方向に配置された複数の位置決め軸を有するレンズホルダと、
該レンズホルダの所定角度毎の回転調整に応じて、前記複数の位置決め軸のうちいずれかの位置決め軸と係合可能な位置決め穴を有する地板と、
前記レンズホルダを傾動可能に保持するホルダ保持部材と、
前記位置決め穴および前記位置決め軸の当接位置を支点として、前記ホルダ保持部材を介して前記レンズホルダを傾動させることにより、前記レンズの傾きを調整するための傾き調整機構とを有することを特徴とするレンズ鏡筒。
【請求項２】
前記傾き調整機構は、前記ホルダ保持部材の周方向における複数の箇所に関して、各箇所における光軸方向位置を調整可能であることを特徴とする請求項１に記載のレンズ鏡筒。
【請求項３】
前記レンズホルダと鏡筒本体との間であって、該レンズ鏡筒の径方向におけるスペース内に、鏡筒動作用機構が配置されていることを特徴とする請求項１又は２に記載のレンズ鏡筒。
【請求項４】
前記鏡筒動作用機構が、シャッター駆動機構、オートフォーカス駆動機構、レンズバリア駆動機構、又はぶれ防止駆動機構であることを特徴とする請求項３に記載のレンズ鏡筒。
【請求項５】
請求項１から４のいずれか１つに記載のレンズ鏡筒を備えたことを特徴とするカメラ。
【発明の詳細な説明】
【０００１】
【発明の属する技術分野】
本発明は、レンズ間の光軸の偏心と傾きの調整機構を備えたレンズ鏡筒およびこれを備えたカメラに関するものである。
【０００２】
【従来の技術】
２群以上のレンズを有して構成されるレンズ鏡筒では、これらレンズ間の光軸の偏芯と傾きは光学性能に著しい影響を与える場合がある。そこでこれらを調整するために、例えば特開昭５８−１９２００４号公報には、レンズ前後群の傾きを調整する機構を備えたレンズ鏡筒が提案されており、実開昭６２−１１０９１４号公報には、偏芯調整機構を備えたレンズ鏡筒が提案されている。
【０００３】
【発明が解決しようとする課題】
しかしながら、例えば沈胴式テレフォトタイプの２群広角ズーム鏡筒の場合に、後群を回転させて偏芯を除去する方法や実開昭６２−１１０９１４号公報提案の偏芯調整機構を用いて偏芯を取り除く方法は、後群は前群に比べレンズの径が大きく、さらに２群ホルダに視野マスクを一体的に有することがあるために、鏡筒の大型化や光学性能劣化を招く。また、後群に傾き調整機構を設けることも、後群は前群に比べてレンズの径が大きいために鏡筒径の大型化を招く。
【０００４】
上記沈胴式テレフォトタイプの２群ズーム鏡筒において、後群に比べ径の小さい前群と鏡筒本体の径方向スペースにシャッター駆動機構やレンズバリア駆動機構、ＡＦ駆動機構、手ぶれ防止駆動機構等を配置することによって、沈胴長短縮と鏡筒径の小型化を図ることは可能であるが、前群に設けられた光軸の偏芯と傾きの両方を調整する機構と干渉しないようにシャッター駆動機構等を配置すると、調整機構を持たない鏡筒に比べて径が大きくなっていた。
【０００５】
そこで、本発明は、特に前群レンズの光軸の偏芯と傾きを調整する機構を、鏡筒径の大型化を招くことなく配置できるようにしたレンズ鏡筒を提供することを目的とする。
【０００６】
【課題を解決するための手段】
上記の目的を達成するために、本発明のレンズ鏡筒は、レンズを保持し、周方向に配置された複数の位置決め軸を有するレンズホルダと、レンズホルダの所定角度毎の回転調整に応じて、複数の位置決め軸のうちいずれかの位置決め軸と係合可能な位置決め穴を有する地板と、レンズホルダを傾動可能に保持するホルダ保持部材と、位置決め穴および位置決め軸の当接位置を支点として、ホルダ保持部材を介してレンズホルダを傾動させることにより、レンズの傾きを調整するための傾き調整機構とを有している。
【０００７】
このような構成により、レンズの光軸位置（つまりは他のレンズとの偏心）を調整するためにレンズホルダを回転させても、レンズホルダを傾動可能に保持するホルダ保持部材や、レンズの光軸傾きを調整するための傾き調整機構は回転しないので、シャッター駆動機構、レンズバリア駆動機構、ＡＦ駆動機構および手ぶれ防止駆動機構等の鏡筒動作用機構に干渉することがない。このため、レンズホルダと鏡筒本体との間であって、レンズ鏡筒の径方向におけるスペース（余剰スペース）内に鏡筒動作用機構を収納できるようになり、レンズ鏡筒を径方向において小型化することが可能となる。
【０００８】
【発明の実施の形態】
（第１実施形態）
図１および図２には、本発明の第１実施形態であるレンズ鏡筒を示している。これらの図において、１は鏡筒であり、天井部１ａ、傾き調整穴１ｂおよびカムピン１ｃを有する、２は浮き防止バネ（請求の範囲にいう傾き調整機構の一部）、３は押さえバネである。４は１群ホルダ支持環（請求の範囲にいうホルダ保持部材）であり、調整ツバ部４ａおよび押さえツバ部４ｂを有する。
【０００９】
５は１群ホルダ（請求の範囲にいうレンズホルダ）であり、光軸を中心に同心円上に配置された複数の位置決め軸５ａと複数のふれ止めリブ５ｂとを有する。７はシャッター駆動部、８は傾き調整ねじ（請求の範囲にいう傾き調整機構の一部）である。
【００１０】
９は前地板であり、１群ホルダ５の位置決め軸５ａと嵌合する位置決め穴９ａ、逃げ穴９ｂおよび回転止め９ｃを有する。
【００１１】
１０はシャッター駆動部７によって開閉されるシャッター羽根である。１１は後地板、１２は２群レンズである。１３は２群ホルダであり、カムピン１３ａを有する。
【００１２】
１４は回転筒であり、鏡筒１と２群ホルダ１３とを光軸方向に移動させるためのカム溝１４ａおよびヘリコイド１４ｂを有する。１５は直進筒であり、鏡筒１と２群ホルダ１３とを光軸方向に直進可能に支持する。１６は固定筒であり、直進筒１５を直進可能に支持するとともに、回転筒１４のヘリコイド１４ｂと係合するヘリコイド１６ａを有する。１７は回転筒１４を駆動する鏡筒駆動機構、１８はカメラ本体である。
【００１３】
次に、図２を用いて上記各部材の組み込みについて説明する。カメラ本体１８は固定筒１６を支持している。固定筒１６は鏡筒駆動機構１７を支持し、直進筒１５を直進可能に、回転筒１４を回転可能に支持している。固定筒１６の内周に設けられたヘリコイド１６ａと回転筒１４の外周に設けられたヘリコイド１４ｂが係合しているため、回転筒１４が鏡筒駆動機構１７によって回転駆動されると、回転筒１４と直進筒１５は固定筒１６に対して光軸方向に移動する。
【００１４】
回転筒１４の内周に設けられたカム溝１４ａには、鏡筒１のカムピン１ｃと２群ホルダ１３のカムピン１３ａとが嵌合している。また、鏡筒１と２群ホルダ１３は直進筒１５によって光軸方向に直進可能に支持されている。このため、回転筒１４が回転すると、鏡筒１および１群ホルダ５と一体的に動く１群レンズ６と２群ホルダ１３に保持される２群レンズ１２は光軸回りで回転することなく光軸方向に移動し、ズームと焦点調節とが行われる。
【００１５】
前地板９はシャッター駆動部７を固定保持している。シャッター羽根１０は前地板９と後地板１１の間で回転可能に支持され、前地板９に取り付けられたシャッター駆動部７によって開閉される。
【００１６】
上記のように各部品が組み込まれるレンズ鏡筒において撮像性能を満足させるためには、前地板９によって保持され、鏡筒１の移動によって光軸方向に進退する１群レンズ６の光軸と２群ホルダ１３の移動によって光軸方向に進退する２群レンズ１２の光軸の偏芯と傾きを所定の範囲内とする必要がある。
【００１７】
このため、本実施形態のレンズ鏡筒では、まず１群レンズ６および１群ホルダ５を鏡筒１に組込む前に、これらを所定角度ずつ回転させて１群レンズ６の光軸の２群レンズ１２の光軸に対する偏芯を所定の範囲に入れる。そして、１群ホルダ５に１群ホルダ支持環４を取り付ける。
【００１８】
次に、前地板９に調整ねじ８を取り付け、１群ホルダ支持環４が取り付けられた１群ホルダ５を前地板９に取り付ける。前述したように前地板９には１群ホルダ５の位置決め軸５ａと嵌合する位置決め穴９ａが設けられているので、位置決め穴９ａにて１群ホルダ５の位置決め軸５ａの１つを、回転止め９ｃによってふれ止めリブ５ｂの１つをそれぞれ支持させる。
【００１９】
さらに、前地板９に予めねじ込まれた調整ねじ８に１群ホルダ支持環４の調整ツバ部４ａを当接させる。これにより、１群ホルダ５が支持される。
【００２０】
ここで、偏芯調整のために１群ホルダ５が所定角度ずつ回転された場合でも、１群ホルダ５に円周方向に等間隔で複数の位置決め軸５ａが形成されているので、位置決め穴９ａにはこれら位置決め軸５ａのうちの１つが嵌合する。同様に、ふれ止めリブ５ｂも１群ホルダ５の外周上に等間隔で配置されているため、１群ホルダ５が所定角度ずつ回転された場合でも、回転止め９ｃには常にふれ止めリブ５ｂの１つが嵌合する。
【００２１】
位置決め穴９ａに嵌合しなかった残りの位置決め軸５ａは、位置決め穴９ａより径が大きく深い逃げ穴９ｂ内に挿入されることによって前地板９に干渉しない。  また、傾き調整用の調整ツバ部４ａと押さえツバ部４ｂとが１群ホルダ支持環４に設けられているので、１群ホルダ５が回転された場合でも調整ツバ部４ａおよび押さえツバ部４ｂがシャッター駆動部７に干渉することがない。
【００２２】
次に、調整ツバ部４ａを付勢する浮き防止バネ２を調整ねじ８上に取り付けるとともに、押さえツバ部４ｂを付勢する押さえバネ（板バネ）３を押さえツバ部４ｂに取り付ける。
【００２３】
この状態で前地板９を鏡筒１の天井部１ａに当接させ、不図示のビスによって鏡筒１に固定する。浮き防止バネ２は天井部１ａによって圧縮され、調整ツバ部４ａを調整ねじ８のつば部に当接させる。また、押さえバネ３は天井部１ａに当接して押さえツバ部４ｂを光軸方向後方に付勢し、位置決め軸５ａの先端を位置決め穴９ａの底面に当接させる。
【００２４】
ここまで組み立てられたレンズ鏡筒において、鏡筒１の天井部１ａに設けられた傾き調整穴１ｂを通してドライバー等によって調整ねじ８をねじ込んだりゆるめたりすることにより、調整ねじ８と１群ホルダ支持環４の調整ツバ部４ａが当接する面の位置（光軸方向位置）が変わり、位置決め穴９ａの底面と位置決め軸５ａの先端面との当接位置を支点にして１群レンズ６の光軸の傾き調整を行うことができる。
【００２５】
このように、本実施形態では、１群ホルダ５の組み込み回転位置を選択することにより、１群レンズ６と２群レンズ群１２との光軸の偏芯を調整することが可能である。また、調整ねじ８のねじ込み量を選択することにより、１群ホルダ５（１群レンズ６）の光軸の傾きを調整することができる。しかも、傾き調整のための調整ツバ部４ａと押さえツバ部４ｂとを有する１群ホルダ支持環４を１群ホルダ５と分離したことにより、偏芯調整のために１群ホルダ５を回転させても、１群ホルダ支持環４は回転しない。このため、調整ツバ部４ａや押さえツバ部４ｂが、これらのツバ部４ａ、４ｂと同一面内（レンズ鏡筒の光軸と直交する面内）に位置するシャッター駆動部７と干渉することがない。したがって、鏡筒１内にシャッター駆動部７を配置することができるとともに、鏡筒１内に調整ツバ部４ａや押さえツバ部４ｂの回転を許容するスペースを設ける必要がなくなり、レンズ鏡筒全体の小型化を図ることができる。
【００２６】
なお、本実施形態では、鏡筒１の内側にシャッター駆動部７を設けた場合について説明したが、本発明は、鏡筒の内側にバリア駆動機構やＡＦ駆動機構、手ぶれ防止駆動機構等を配置した場合にも適用することができる。
【００２７】
【発明の効果】
以上説明したように、本発明によれば、レンズの光軸位置（つまりは他のレンズとの偏心）を調整するためにレンズホルダを回転させても、レンズホルダを傾動可能に保持するホルダ保持部材や、レンズの光軸傾きを調整するための傾き調整機構は回転しないので、これらホルダ保持部材や傾き調節機構がシャッター駆動機構、レンズバリア駆動機構、ＡＦ駆動機構および手ぶれ防止駆動機構等の鏡筒動作用機構に干渉することがない。このため、レンズホルダと鏡筒本体との間であって、レンズ鏡筒の径方向におけるスペース（余剰スペース）内に鏡筒動作用機構を収納できるようになり、レンズ鏡筒やこれを備えたカメラの小型化（径方向における小型化）を達成することができる。
【図面の簡単な説明】
【図１】本発明の第１実施形態であるレンズ鏡筒の分解斜視図。
【図２】上記レンズ鏡筒の横断面図。
【符号の説明】
１…鏡筒
２…浮き防止バネ
３…押さえバネ
４…１群ホルダ支持環
５…１群ホルダ
６…１群レンズ
７…シャッター駆動部
８…傾き調整ねじ
９…前地板
１０…シャッター羽根
１１…後地板
１２…２群レンズ
１３…２群ホルダ
１４…回転筒
１５…直進筒
１６…固定筒
１７…鏡筒駆動機構
１８…カメラ本体
【図１】
0003962470.tif 000002
【図２】
0003962470.tif 000003